(57)【特許請求の範囲】
【請求項１】
上位階層から透明ＳＡＰ（Ｔｒ−ＳＡＰ）を介して伝えられるサービスデータユニット（ＳＤＵ）を格納する伝送データ格納モジュールと、
前記伝送データ格納モジュールから伝えられたサービスデータユニットを、下位階層から伝えられたプロトコルデータユニット（ＰＤＵ）のサイズ情報に基づいて、少なくとも一つ以上のプロトコルデータユニットに分割するセグメントモジュールとを備えることを特徴とする透明モード無線リンク制御（ＲＬＣ）階層を有する無線通信システム。
【請求項２】
前記セグメントモジュールは、前記下位階層から伝えられたプロトコルデータユニットの個数情報によって要求される個数のプロトコルデータユニットを前記下位階層に伝えることを特徴とする請求項１に記載の透明モード無線リンク制御階層を有する無線通信システム。
【請求項３】
前記プロトコルデータユニットのサイズは、前記下位階層から前記プロトコルデータユニットが伝送される伝送チャンネルの伝送フォーマットから決められることを特徴とする請求項１に記載の透明モード無線リンク制御階層を有する無線通信システム。
【請求項４】
前記プロトコルデータユニットは、決められた伝送時間間隔ごとに前記下位階層へ伝達されることを特徴とする請求項２に記載の透明モード無線リンク制御階層を有する無線通信システム。
【請求項５】
一つの前記サービスデータユニットから分割されてセグメント化された前記プロトコルデータユニットは、一つの伝送時間間隔内で送られることを特徴とする請求項４に記載の透明モードの無線リンク制御階層を有する無線通信システム。
【請求項６】
前記下位階層はメディアアクセスコントロール（ＭＡＣ）階層であることを特徴とする請求項１に記載の透明モードの無線リンク制御陵層を有する無線通信システム。
【請求項７】
前記伝送データ格納モジュールは前記サービスデータユニットＳＤＵ単位でデータを格納し、出力することを特徴とする請求項１に記載の透明モードの無線リンク制御階層を有する無線通信システム。
【請求項８】
前記プロトコルデータユニットのサイズ及び個数情報は、前記下位階層からＭＡＣ状態通知情報を介して伝えられることを特徴とする請求項２に記載の透明モードの無線リンク制御階層を有する無線通信システム。
【請求項９】
前記下位階層から伝えられた少なくとも一つ以上のプロトコルデータユニットを格納する受信バッファと、
前記受信バッファから提供される前記少なくとも一つ以上のプロトコルデータユニットを少なくとも一つ以上の前記サービスデータユニットで再構成して、前記上位階層へ伝達するリアセンブリモジュールとをさらに備えることを特徴とする請求項１に記載の透明モードの無線リンク制御階層を有する無線通信システム。
【請求項１０】
上位階層から透明ＳＡＰ（Ｔｒ−ＳＡＰ）を介して伝送されるサービスデータユニットを伝送データ格納モジュールに格納するステップと、
前記伝送データ格納モジュールから伝えられたサービスデータユニットを、下位階層から伝えられたプロトコルデータユニットのサイズ情報に基づいて、少なくとも一つ以上のプロトコルデータユニットに分割するステップと、
前記少なくとも一つ以上のプロトコルデータユニットを下位階層へ伝えるステップとを備えることを特徴とする無線通信システムの透明モードの無線リンク制御（ＲＬＣ）階層におけるデータ処理方法。
【請求項１１】
前記下位階層から伝えられたプロトコルデータユニットの個数情報によって要求される個数の前記少なくとも一つ以上のプロトコルデータユニットを前記下位階層へ伝達することを特徴とする請求項１０に記載の無線通信システムの透明モードの無線リンク制御階層におけるデータ処理方法。
【請求項１２】
前記プロトコルデータユニットのサイズは、前記下位階層から前記プロトコルデータユニットが伝送される伝送チャンネルの伝送フォーマットから決められることを特徴とする請求項１０に記載の無線通信システムの透明モードの無線リンク制御階層におけるデータ処理方法。
【請求項１３】
前記プロトコルデータユニットは、決められた伝送時間間隔ごとに前記下位階層へ伝達されることを特徴とする請求項１０に記載の無線通信システムの透明モードの無線リンク制御階層におけるデータ処理方法。
【請求項１４】
一つの前記サービスデータユニットから分割されてセグメント化された前記プロトコルデータユニットは、一つの伝送時間間隔内で伝達されることを特徴とする請求項１３に記載の無線通信システムの透明モードの無線リンク制御階層におけるデータ処理方法。
【請求項１５】
前記下位階層はメディアアクセスコントロール（ＭＡＣ）階層であることを特徴とする請求項１０に記載の無線通信システムの透明モードの無線リンク制御階層におけるデータ処理方法。
【請求項１６】
前記伝送データ格納モジュールは、前記サービスデータユニットデータ（ＳＤＵ）単位でデータを格納し、出力することを特徴とする請求項１０に記載の無線通信システムの透明モードの無線リンク制御階層におけるデータ処理方法。
【請求項１７】
前記プロトコルデータユニットのサイズ及び個数情報は、前記下位階層からＭＡＣ状態通知情報を介して伝達されることを特徴とする請求項１１に記載の無線通信システムの透明モードの無線リンク制御階層におけるデータ処理方法。
【発明の詳細な説明】
【０００１】
【発明の属する技術分野】
本発明は、透明（Ｔｒａｎｓｐａｒｅｎｔ）モードのＲＬＣ階層を有する無線通信システム及びその無線通信システムにおけるデータ処理方法に関する。
【０００２】
【従来の技術】
最近マルチメディアの時空間的制約のない接近を許している通信技術の研究とその研究の可視的な成果を求める多くの工夫が成されている現実に鑑みて、ディジタルデータ処理と伝送技術の発達は有線と無線通信とを統合して人工衛星を用いた実時間グローバルデータ通信システムの実現を目前にしている。
【０００３】
また、このようなディジタルデータの処理と伝送技術の発達によって関連技術の音声通話は勿論ネットワーク基盤の停止画像、動画像の実時間伝送と有線及び無線に拘らず常時どこでも自由に情報への接近を可能にしている。
【０００４】
即ち、ＩＭＴー２０００はその内の一つである。
【０００５】
本発明において示しているラジオリンクコントロール階層（ＲＬＣ：Ｒａｄｉｏ  Ｌｉｎｋ  Ｃｏｎｔｒｏｌ）は３ＧＰＰの第２階層として、データリンクを制御するプロトコール階層にＯＳＩ  ７階層モデルの第２階層に当たり、現在３ＧＰＰで用いられるＲＬＣエンティティ（ＥＮＴＩＴＹ）の種類は大きくＲＬＣヘッダーが付けないＴｒモード（Ｔｒａｎｓｐａｒｅｎｔ  Ｍｏｄｅ：以下“Ｔｒモード”と称する）と、ヘッダーがついているＮＴｒモード（Ｎｏｎ−Ｔｒａｎｓｐａｒｅｎｔ  Ｍｏｄｅ：以下”ＮＴｒモード”と称する）の二つで分ける。
【０００６】
ここで、ＮＴｒモードは受信側からの認識（ＡＣＫ：Ａｃｋｎｏｗｌｅｄｇｅｄ：以下”ＡＣＫ”と称する）信号のないＵＭモード（Ｕｎａｃｋｎｏｗｌｅｄｇｅｄ  Ｍｏｄｅ：以下”ＵＭ”と称する）、また、受信側からの認識信号のあるＡＭモード（Ａｃｋｎｏｗｌｅｄｇｅｄ  Ｍｏｄｅ：以下”ＡＭモード”と称する）で分けられる。従って、結局現在用いられるＲＬＣのモードはＴｒ、ＵＭ，ＡＭの３種類が用いられている。
【０００７】
図１は透明モードの無線リンク制御階層を有する無線通信システムのデータ送信装置を示すダイアフラムである。
【０００８】
前記ＴｒモードではＲＬＣヘッダーが着いてないのでＮＴｒモードにおけるエンティティ構造より非常に簡単である。
【０００９】
図１を見ると、ラジオインターフェース１００に基づいて、透明モードのＲＬＣ階層１０１を有するデータ送信装置は上位階層から入ってくるサービスデータユニットを大きさが一定したプロトコールデータユニットに作るためにセグメント部１０２を介してセグメンテーションする。
【００１０】
このようにセグメントされたプロトコールデータユニットは送信バッファ１０３に格納した後論理的なチャネルを介してＭＡＣ１０４階層に送る。
【００１１】
なお、前記データ送信装置で前記透明モードのＲＬＣ階層１０１が前記ＭＡＣ階層１０４に前記ＰＤＵを伝送する時前記ＰＤＵをセットされた伝送時間間隔に伝送する。
【００１２】
尚、前記ＲＬＣ１０１は前記ＭＡＣ階層１０４から要求する個数のＰＤＵを伝送する。このために前記ＭＡＣ階層１０４は前記毎ＴＴＩごとに自分の希望ＰＤＵの個数に対する情報を自分の状態情報を介して前記ＲＬＣ階層１０１に知らせる。
【００１３】
このように、前記ＭＡＣ階層１０４から前記ＴＴＩごとに前記ＭＡＣ階層１０４が受けようとする前記ＰＤＵの個数に対する情報に応じて前記ＲＬＣ階層１０１は前記送信バッファ１０３に格納された前記ＰＤＵのうち前記ＭＡＣ階層１０４が要求する個数に当たるＰＤＵを前記ＭＡＣ階層１０４に伝送する。
【００１４】
前記ＰＤＵはラジオインターフェース１００に基づいて透明モードのＲＬＣ階層を有する無線通信システムのデータ受信装置１０５に伝送する。
【００１５】
前記受信装置１０５は一定時間前記ラジオインターフェース１００に基づいて受信された前記ＰＤＵを受信バッファ１０６に格納した後一つの完全なＳＤＵを構成するＰＤＵが全て受信されるたびにＳＤＵ単位で上位階層に送られる。即ち、前記プロトコールデータユニットはリアセンブリ１０７で前記ＳＤＵ単位でリアセンブリとなって前記上位階層に伝送される。
【００１６】
前記関連技術は次のような問題を有する。
【００１７】
まず、前記送信装置で前記ＭＡＣ階層１０４は多数のＲＬＣ階層からＰＤＵをマルチプレクシングして伝送チャネルを介して物理階層（ｐｈｙｓｉｃａｌ  ｌａｙｅｒ：ＰＨＹ）に伝送する。この時伝送の効率性を高めるために前記ＭＡＣ階層１０４は各ＲＬＣ階層から受けたＰＤＵの個数を前記ＴＴＩごとに異なり調整する。
【００１８】
しかしながら、ＰＤＵの個数だけをＴＴＩごとに異なり調節するだけでは十分な伝送効率向上が期待できない。
【００１９】
更に効率的な伝送のためにはＴＴＩごとに各ＲＬＣから受けるＰＤＵの個数のみならずＰＤＵサイズも調整するのが望ましいが、関連技術の構造では毎ＴＴＩごとにＰＤＵサイズを調整し難かった。
【００２０】
図１に示すように関連技術の透明モードＲＬＣ階層を有するデータ送信装置は既に前記サービスデータユニットを前記ＲＬＣ階層１０１から一定の大きさのプロトコールデータユニットにセグメントしてから該プロトコールデータユニットを前記送信バッファ１０３に格納したので以前ＴＴＩに伝送したＰＤＵサイズと違うＰＤＵサイズを有するＰＤＵを現在伝送しよとする場合、前記送信バッファ１０３に格納されているＰＤＵを更にＳＤＵに再構成すべきである。
【００２１】
次に前記再構成されたＳＤＵを前記ＭＡＣ階層１０４から要求するサイズを有するＰＤＵにさらにセグメントしてから該再セグメントされたＰＤＵを前記ＭＡＣ階層１０４に更に伝送すべきである。
【００２２】
前記の場合、前記送信バッファ１０３に格納されていた前記ＰＤＵを更にＳＤＵに再構成する手段又は過程が必要であり、また、前記再構成されたＳＤＵを更に前記ＭＡＣ階層１０４で要求するサイズを有するＰＤＵにセグメントする過程が必要となる。
【００２３】
つまり前記ＲＬＣ階層の構成が複雑となり、前記プロトコールデータユニットの伝送処理速度が増加される。
【００２４】
【発明が解決しようとする課題】
本発明は、上記関連技術の問題点を解決するためのもので、目的はプロトコールデータユニットの個数のみならずそのサイズをも可変させて処理できる無線通信システムを提供することが目的である。
【００２５】
本発明の他の目的は、無線通信システムにおいてプロトコールデータユニットを処理する方法を提供することが目的である。
【００２６】
【課題を解決するための手段】
上記目的を達成するための本発明の一実施形態によると、透明モードの無線リンク制御階層を有する無線通信システムにおけるデータを伝送する方法は、上位階層から伝送されたサービスデータユニットを格納する伝送データ格納モジュール；また、下位階層からの要請信号に沿って前記サービスデータユニットを前記希望サイズ及び個数を有する少なくとも一つのプロトコールデータユニットにセグメントし、前記少なくとも一つのプロトコールデータユニットを下位階層に伝えるセグメントモジュールを備える。
【００２７】
上記目的を達成するための本発明の他の一実施形態によると、透明モードの無線リンク制御階層を有する無線通信システムにおけるデータを伝送する方法は、上位階層から受信されたサービスデータユニットを伝送データモジュールに格納するステップ；下位階層からの要請に沿って可変的に前記受信されたサービスデータユニットに対するプロトコールデータユニットの個数及びサイズを設定するステップ；前記格納されたサービスデータユニットを前記設定された個数に当たる少なくとも一つのプロトコールデータユニットに作るステップ；また、前記少なくとも一つののプロトコールデータユニットを前記下位階層に伝えるステップを備える。
【００２８】
望ましくは、前記無線リンク制御階層は透明モードで動作する。
【００２９】
望ましくは前記伝送データ格納モジュールではサービスデータユニットの単位でデータが処理される。また、前記伝送データ格納モジュールはセグメントされない前記サービスデータユニットが格納される。
【００３０】
望ましくは、前記無線リンク制御階層用プロトコールデータユニットを前記ＭＡＣ階層１０４に伝送する時毎伝送時間間隔（ＴＴＩ）ごとに前記プロトコールデータユニットの個数とサイズを異にして伝送できる。
【００３１】
本発明の透明モードの無線リンク制御階層を有する無線通信システムは、上位階層から伝送されたサービスデータユニットを格納し、下位階層からプロトコールデータユニットの希望サイズ及び個数に対する情報を受信する伝送データ格納モジュールと、前記下位階層からの情報に沿って前記サービスデータユニットを前記希望サイズ及び個数を有する少なくとも一つのプロトコールデータユニットからセグメントし、前記少なくとも一つのプロトコールデータユニットを前記下位階層へ伝えるセグメントモジュールとを備えることを特徴とする。
【００３２】
前記下位階層はメディアアクセスコントロール（ＭＡＣ：Ｍｅｄｉａ  Ａｃｃｅｓｓ  Ｃｏｎｔｒｏｌ）階層であることをさらなる特徴としてもよい。
【００３３】
前記サービスデータユニットは透明−ＳＡＰを介して前記上位階層から前記伝送データ格納モジュールに入り、前記少なくとも一つのプロトコールデータユニットは論理チャネルら、ＢＣＣＨ、ＰＣＣＨ、ＤＣＣＨ、ＣＣＣＨ、ＤＴＣＨおよびＳＨＣＣＨのうち、いずれかの一つの論理チャネルを介して受信側に向かって伝送されることをさらなる特徴としてもよい。
【００３４】
本発明の透明モードの無線リンク制御階層を有する無線通信システムにおけるデータ処理方法は、上位階層から伝送されたサービスデータユニットを伝送データモジュールに格納するステップと、下位階層から所望のプロトコールデータユニットの個数及びサイズに対する情報を受信するステップと、前記受信された個数及びサイズに対する情報に沿って前記各サービスデータユニットを少なくとも一つのプロトコールデータユニットに作るステップと、毎伝送時間間隔ＴＴＩごとに前記少なくとも一つのプロトコールデータユニットを前記下位階層に伝送するステップとを包含することを特徴とする。
【００３５】
前記各サービスデータユニットは前記所望のサイズ及び個数のプロトコールデータユニットを作るためにセグメントされることをさらなる特徴としてもよい。
【００３６】
前記ＰＤＵにはオーバーヘッド又はヘッダーのいずれも追加されず、前記セグメンテーションはどのような伝送チャネルの伝送フォーマットが用いられるかによって行われ、一つの特定伝送フォーマットは前記受信側に前記セグメンテーションがどのように行われているかに対して情報を知らせることをさらなる特徴としてもよい。
【００３７】
前記下位階層はＭＡＣ階層であることをさらなる特徴としてもよい。
【００３８】
前記伝送データ格納モジュールは前記サービスデータユニットＳＤＵ単位でデータを格納し、出力することをさらなる特徴としてもよい。
【００３９】
前記下位階層を介して前記受信側に伝送されるための前記プロトコールデータユニットの個数及びサイズは前記毎伝送時間間隔（ＴＴＩ：Ｔｒａｎｓｆｅｒ  Ｔｉｍｅ  Ｉｎｔｅｒｖａｌ）異なることをさらなる特徴としてもよい。
【００４０】
前記サービスデータユニットは透明ＳＡＰを介して前記上位階層から前記伝送データ格納モジュールに入り、前記少なくとも一つのプロトコールデータユニットは論理チャネルなど、ＢＣＣＨ、ＰＣＣＨ、ＤＣＣＨ、ＣＣＣＨ、ＤＴＣＨおよびＳＨＣＣＨのうち、いずれかの一つの論理チャネルを介して受信側に向かって伝送されることをさらなる特徴としてもよい。
【００４１】
前記無線通信システムの前記ＲＬＣ階層がユーザー平面にあると、前記論理チャネルＤＴＣＨ又は前記ＲＬＣ階層が制御平面にあると、ＤＣＣＨ、ＣＣＣＨ、ＢＣＣＨ、ＳＨＣＣＨおよびＰＣＣＨのうちいずれかが前記論理チャネルに用いられることをさらなる特徴としてもよい。
【００４２】
一つ又は多数のＰＤＵが前記毎伝送時間間隔内に伝送でき、前記毎伝送時間間隔に対して、前記少なくとも一つのＰＤＵは一つのＳＤＵを構成する全てのセグメントなどであることをさらなる特徴としてもよい。
【００４３】
【発明の実施の形態】
以下、添付の図２を参照して透明モードの無線リンク制御階層を詳細に説明する。
【００４４】
図２によると無線通信システムのデータ伝送装置のＲＬＣは透明エンティティ構造を有する。前記透明エンティティ構造を有する前記データ伝送装置は前記サービスデータユニットを前記送信データ格納モジュールに格納するステップ後にサービスデータユニットを少なくとも一つのプロトコールデータユニットに分割するセグメンテーション段階が行われる。
【００４５】
なお、前記ＲＬＣ階層の下位階層の前記ＭＡＣでは前記プロトコールデータユニットの個数のみならずそのサイズに対する情報を前記データ伝送装置の前記ＲＬＣ階層に提供する。前記ＭＡＣからの要求によって前記データ伝送装置は前記サービスデータユニットを前記要求に当たるサイズを有する少なくとも一つのプロトコールデータユニットにセグメンテーションしてから前記要求に当たる個数ほど前記プロトコールデータユニットを前記ＭＡＣに伝送する。
【００４６】
図２において、前記無線通信システム階層を有する無線通信システムのデータ伝送装置２０１は上位階層から伝送されたサービスデータユニットを格納する伝送データ格納モジュールとしての送信バッファ２０２また、ＭＡＣ階層２０３のような下位階層からの要請信号に沿って前記サービスデータユニットを希望のサイズ及び個数を有する少なくとも一つのプロトコールデータユニットにセグメンテーションし前記少なくとも一つのプロトコールデータユニットを前記ＭＡＣ階層２０３に伝えるセグメントモジュール２０４を備える。
【００４７】
以下、本発明による透明モードＲＬＣ階層を有する無線データ送信装置でデータを伝送する過程を詳細に説明する。
【００４８】
図２を見ると、無線インターフェース２００に基づく前記無線データ送信装置の透明ＲＬＣ階層２０１は前記上位階層から透明ＳＡＰを介して伝えられる前記サービスデータユニットＳＤＵを前記送信バッファ２０２に格納する。
【００４９】
なお、前記ＭＡＣ階層２０３は前記透明モードＲＬＣ階層２０１から自身が伝送を受けるプロトコールデータユニット（ＰＤＵ）に対する個数とサイズに対する情報をＭＡＣ状態通知情報を介して前記透明モードＲＬＣ階層２０１に送る。
【００５０】
前記透明モードＲＬＣ階層（又はＲＬＣ  Ｔｒエンティティ２０１）の前記セグメントモジュール２０４は前記ＭＡＣ階層２０３から要求する前記プロトコールデータユニットのサイズに合わせて前記サービスデータユニットをオーバーヘッドを付加することなく適切なプロトコールデータユニットにセグメントする。前記セグメントを行う方法は前記サービスの設定時点によって決められる。
【００５１】
前記ＲＬＣＳＤＵはセグメントでき、前記ＲＬＣＰＤＵのために許容されたサイズは前記伝送チャネルの伝送フォーマットから決められる。前記ＲＬＣＰＤＵのサイズは前記ＲＬＣＰＤＵサイズによってかけられた前記ＲＬＣＰＤＵの数が前記ＲＬＣＳＤＵのサイズとなるように決められる。
【００５２】
一つのＲＬＣＳＤＵを移送する全てのＲＬＣＰＤＵは一つの伝送時間間隔内で送られる。また、一伝送時間間隔内では一ＲＬＣＳＤＵのセグメントだけが伝送され、他のＲＬＣＳＤＵのセグメントなどは伝送されない。
【００５３】
前記セグメント過程が前記透明モードＲＬＣ階層のために用いられないと一つの以上のＲＬＣＳＤＵが各ＲＬＣＳＤＵごとに一つのＲＬＣＰＤＵを用いて前記一つの伝送時間間隔内で送られる。しかしながら前記ＲＬＣＰＤＵは物理階層（ＰＨＹ）の制限によって同一なサイズを有するのが必要である。
【００５４】
前記したように、前記透明モードＲＬＣ階層２０１は前記ＭＡＣ２０３に前記プロトコールデータユニットを伝送する時決められた伝送時間間隔ごとに伝送する。
【００５５】
この時前記ＭＡＣ２０３から要求する前記プロトコールデータユニットの量によって適切な個数とサイズで前記プロトコールデータユニットを前記ＭＡＣ２０３に伝送することになる。
【００５６】
前記したように、前記ＭＡＣ２０３は毎伝送時間間隔ＴＴＩごとに自分に伝達受けようとする前記プロトコールデータユニットの個数とサイズを自分の状態を知らせる情報（ＭＡＣーＳＴＡＴＵＳーＩＮＤ  ｐｒｉｍｉｔｉｖｅ）を介して前記ＲＬＣ階層２０１に知らせる。
【００５７】
前記ＭＡＣ２０３から前記伝送時間間隔ＴＴＩごとに前記ＭＡＣ２０３から前記プロトコールデータユニットの個数とサイズに対する情報を受けた前記ＲＬＣ階層２０１は前記要求された情報によって前記送信バッファ２０２に格納されている前記各サービスデータユニットを前記ＭＡＣ２０３が要求するサイズを有する少なくとも一つのプロトコールデータユニットに作ってから前記ＭＡＣの希望個数ほどプロトコールデータユニットを前記ＭＡＣ階層２０３に伝送する。
【００５８】
前記プロトコールデータユニットＰＤＵは前記ラジオインターフェース２００に基づいて透明モードＲＬＣ階層を有するデータ受信装置２０５に伝送される。
【００５９】
なお、前記透明モードＲＬＣ階層を有するデータ受信装置のＲＬＣ階層２０５は前記ＭＡＣ階層から前記ラジオインターフェース２００に基づく論理チャネルのうち、ＣＣＣＨ、ＢＣＣＨ、ＤＣＣＨ、ＰＣＣＨ、ＳＨＣＣＨまたＤＴＣＨのうちいずれかの一つを介して受信された前記プロトコールデータユニットを受信バッファ２０６に格納させる。
【００６０】
次に、前記データ受信装置の前記ＲＬＣ階層２０５は一つの完全なサービスデータユニットＳＤＵを構成するプロトコールデータユニットＰＤＵが全て受信されるとデータを前記サービスデータユニットの単位で前記透明ＳＡＰを介して前記上位階層に送られる。
【００６１】
即ち、前記受信バッファ２０６に格納された前記プロトコールデータユニットユニットはリアセンブリモジュール２０７から前記ＲＬＣサービスデータユニットの単位ＳＤＵで更に再構成されてから前記透明ＳＡＰを介して前記上位階層に伝送される。前記リアセンブリ過程は前記データ送信装置で前記サービスデータユニットが前記プロトコールデータユニットにセグメントされた場合に行われる。
【００６２】
前記リアセンブリの実行過程は前記サービスの設定時間によって決められる。
【００６３】
本発明は前記送信バッファ２０２にセグメントされないＳＤＵが格納されるということと、前記ＭＡＣ２０３から前記ＲＬＣ階層２０１に前記プロトコールデータユニットを要求するのにおいて、自分が必要な前記ＰＤＵの個数のみならず、前記ＰＤＵのサイズも共に知らせることから関連技術と区別される。
【００６４】
なお、前記送信バッファ２０２は前記ＰＤＵ単位でない前記ＳＤＵ単位でデータユニットを処理するということにも注目すべきである。
【００６５】
以下、透明モードデータを伝送する過程を図３を参照して説明する。
【００６６】
図３は透明モードＲＬＣ階層を二つのピアエンティティ（ＰＥＥＲ  ＥＮＴＩＴＹ）間で透明モードデータを伝送する基本的な過程を説明するダイアフラムである。
【００６７】
前記透明モードデータ伝送過程は前記透明モードで動作する二つのＲＬＣピアエンティティ間でデータを伝送するのに用いられる。図３において、送信機はＵＥ（ＵＳＥＲ  ＥＮＴＩＴＹ）又はネットワークであり、受信機は前記ネットワークまたＵＥであり得る。
【００６８】
前記送信機は前記上位階層から前記透明モードデータを要請するときこの過程を開始する。前記送信機はデータ伝送準備状態に有るとき前記上位階層又は他の上位階層から受信された前記サービスデータユニットを透明モードのＰＤＵに変換させる。必要によって前記送信機は前記上位階層から前記ＳＤＵを前記ＰＤＵに変換させる。
【００６９】
用いられる論理チャネルはＤＴＣＨ、ＣＣＣＨ（アップリンク）、ＳＨＣＣＨ（アップリンク）、ＢＣＣＨ及びＰＣＣＨである。前記論理チャネルのタイプは送信機のＲＬＣ階層がユーザー平面（ＤＴＣＨ）にあるか又は制御平面（ＣＣＣＨ／ＢＣＣＨ／ＳＨＣＣＨ／ＰＣＣＨ）にあるかに従属する。
【００７０】
一つの伝送時間間隔ＴＴＩ内で伝送できない前記ＳＤＵはＲＲＣ（図示せず）によってセットされたディスカード形態によってバッファリングされる。該サイズ決定は前記セグメントが用いられる時適用可能である。
【００７１】
前記透明モードＰＤＵは一つの完全なＳＤＵであり、一つのＳＤＵのセグメントであり得る。
【００７２】
前記セグメントの実行過程は前記サービスの設定時間によって決められる。
【００７３】
前記ＰＤＵにはオーバーヘッド又はヘッダのいずれも追加されず、代わりに前記セグメンテーションはどのような伝送チャネルの伝送フォーマットが用いられるかによって行われる。一つの特定伝送フォーマットは前記受信機にどのように前記セグメンテーションが行われるかを知らせる。
【００７４】
なお、前記透明モードＰＤＵの受信時前記受信機は前記ＳＤＵがセグメントされたら前記受信されたＰＤＵを前記ＲＬＣＳＤＵにリアセンブリングする。また、前記受信機のＲＬＣ階層は前記ＲＬＣＳＤＵを前記透明ＳＡＰを介して前記上位階層に伝える。
【００７５】
本発明によれば、透明モードのＲＬＣ階層を有する無線通信システムのデータ送信装置及び該データ送信装置においてデータを送信する方法が提供される。
【００７６】
本発明は、上位階層から伝送されたサービスデータユニットを格納し、ＭＡＣからＰＤＵの個数及びサイズに対する情報を受信する。前記サービスデータユニットは前記受信された情報によって前記ＲＬＣ階層において前記情報に応ずる個数及びサイズのプロトコールデータユニット又はユニットからセグメントされる。前記プロトコールデータユニット又はユニットは受信機に向かって伝送される。
【００７７】
【発明の効果】
以上説明したように、本発明は、次のような効果がある。
【００７８】
本発明による透明モードＲＬＣ階層を有するデータ送信装置は送信バッファに上位階層から伝えられたサービスデータユニットを格納し下位階層のＭＡＣからの情報によって可変的に前記格納されたサービスデータユニットを希望する個数とサイズの情報によってプロトコールデータユニット又はユニットとでセグメントする。
【００７９】
従って、前記プロトコールデータユニットを効率的に伝送できる。更に本発明は長さが一定なパッケージデータのみならず可変的な長さを有する音声データも円滑に伝送できる。
【００８０】
なお、前記ＭＡＣからの情報によって前記送信装置の前記ＲＬＣ階層は前記ＳＤＵを希望の個数及びサイズのＰＤＵにセグメントすることで、前記ＭＡＣは多数のＲＬＣ階層から伝えられるＰＤＵを効率的にマルチプレクシングでき、かつデータ伝送の性能が改善される。
【図面の簡単な説明】
【図１】関連技術のＲＬＣ  Ｔｒエンティティ構造を示す図である。
【図２】本発明のＲＬＣ  Ｔｒエンティティ構造を示す図である。
【図３】透明モードのＲＬＣ階層を有する無線通信システム間に透明モードデータを処理する過程を説明するダイアフラムである。
【符号の説明】
１００  インターフェース
１０１  ＲＬＣ階層
１０３  送信バッファ
１０４  ＭＡＣ階層
１０５  受信装置
１０６  受信バッファ
１０７  リアセンブリ
【図１】
0003754907.tif 000002
【図２】
0003754907.tif 000003
【図３】
0003754907.tif 000004